(57)【要約】【課題】インテークマニホールドのシリンダヘッドへの挿入部分によって吸気断熱を達成するとともに、複数気筒を有するシリンダヘッドへのインテークマニホールドの挿入部分の組付け性を向上できる内燃機関の吸気通路構造を提供することを目的とする。【解決手段】インテークマニホールド５と、インテークマニホールド５とは別体に形成されてインテークマニホールド５とシリンダヘッド１との間に設けられるとともに、シリンダヘッド１より低い熱伝導率を有する材料からなる連結部７と、連結部７の吸気下流側の端部に形成された挿入部９と、挿入部９が挿入されシリンダヘッド１の吸気ポート１１に連通される嵌合凹部１３と、複数の連結部７の吸気上流側の端部を連結して延在されインテークマニホールド５の複数の吸気通路の下流側端部のインマニフランジ部１５が締結される連続フランジ部１７と、を備えたことを特徴とする。【選択図】図１
2017057818.tif 000002
【特許請求の範囲】
【請求項１】
シリンダヘッドに連結され吸気通路を形成するインテークマニホールドと、
該インテークマニホールドとは別体に形成され、前記インテークマニホールドと前記シリンダヘッドとの間に設けられ、シリンダヘッドの熱伝導率より低い熱伝導率を有する材料からなる連結部と、
該連結部の吸気下流側の端部に形成された挿入部と、
該挿入部が挿入されるとともに、前記シリンダヘッドの外面に開口し吸気ポートに連通される嵌合凹部と、
複数の前記連結部の各々の吸気上流側の端部を連結するように延在して形成され、前記インテークマニホールドの複数の吸気通路の各々の下流側端部に形成されたフランジが締結する第１フランジ部と、を備えたことを特徴とする内燃機関の吸気通路構造。
【請求項２】
前記連結部の前記挿入部の側であって連結部毎に形成され、前記嵌合凹部へ挿入された前記連結部をシリンダヘッドの壁面に取付けるための第２フランジ部を有したことを特徴とする請求項１に記載の内燃機関の吸気通路構造。
【請求項３】
前記連結部には、燃料噴射装置の吸気ポートインジェクタ及び燃料レールが設けられて、連結部と吸気ポートインジェクタと燃料レールとが一体化され、一体化された状態で前記インテークマニホールド及び前記シリンダヘッドの間に装着可能に構成されたことを特徴とする請求項１又は２に記載の内燃機関の吸気通路構造。
【請求項４】
前記燃料レールは、前記第１フランジ部の延在する方向と同方向に延在して設けられることを特徴とする請求項３に記載の内燃機関の吸気通路構造。
【請求項５】
平面視において前記燃料レールが前記第１フランジ部より吸気上流側に配置されることを特徴とする請求項４に記載の内燃機関の吸気通路構造。
【請求項６】
平面視において前記燃料レールが前記第１フランジ部と重なるように配置されることを特徴とする請求項４に記載の内燃機関の吸気通路構造。
【請求項７】
前記連結部の挿入側の外周部にシールリングが装着されることを特徴とする請求項１から６の何れか１項に記載の内燃機関の吸気通路構造。
【発明の詳細な説明】
【技術分野】
【０００１】
本開示は、内燃機関の吸気通路構造に関し、特に、吸気の断熱構造に関する。
【背景技術】
【０００２】
ガソリンエンジンでは、高圧縮比化することで理論熱効率が向上し、燃費が改善することが知られているが、圧縮比を高めると、点火時の筒内ガス温度が上昇してノッキングが発生しやすくなる問題がある。
ノッキング発生を防止するために、燃焼室壁の温度を低下して筒内ガス温度を下げる技術が一般的だが、この場合燃焼ガスから燃焼室へ逃げるエネルギー（冷却損失）が増大して、熱効率の妨げとなってしまう。
このため、吸気ポート壁面の温度を下げることで、吸気ポート壁面からの受熱量を低減し、吸気温度上昇の抑制によって筒内ガス温度を下げる技術が提案されている。
【０００３】
例えば、エンジンに吸入される空気の温度上昇を抑制するために、インテークマニホールドを、断熱性を有する樹脂材料で構成し、その樹脂材料からなるインテークマニホールドの挿入部を吸気ポートに挿入した吸気管の取付け構造について、特許文献１（特開２００７−２８５１７１号公報）に提案されている。
【０００４】
特許文献１には、内燃機関のシリンダヘッドに形成された吸気ポートに接続される樹脂製の吸気管（インテークマニホールド）と、この吸気管の出口に樹脂にて一体に形成され、吸気ポートの内部に挿入される挿入部を備える構成が開示されている。
さらに、特許文献１には、樹脂製の吸気管と一体にインジェクタ及び燃料レールがインサート成形される構成が示されている。
【先行技術文献】
【特許文献】
【０００５】
【特許文献１】特開２００７−２８５１７１号公報
【発明の概要】
【発明が解決しようとする課題】
【０００６】
しかしながら、特許文献１では、樹脂製の吸気管（インテークマニホールド）と一体にインジェクタ及び燃料レールがインサート成形されるとともに、樹脂製の吸気管が、サージタンクに至る部分までを一体的に形成される構成であるため、シリンダヘッドへの装着部品として大型化する。そのため、組み付け時の取り扱いが煩雑化し、組付け性が悪化する問題を有している。
【０００７】
さらに、吸気ポートが形成されるシリンダヘッドはアルミニュウム材料による鋳造製造のため、仕上がり寸法精度においてばらつきが生じやすい。このため、挿入部と吸気ポート部との位置関係に差（ずれ）が生じ、特に、複数気筒の吸気ポートへ、複数の挿入部を一体として形成した場合には、挿入部を組み込む際に、吸気ポート内への挿入が円滑に行われず、組付け性を悪化させる問題を有している。
また、無理に組付けると挿入部や燃料噴射装置のインジェクタや燃料レールに変形力が掛かることで、吸気管及び燃料噴射装置の耐久性等にも悪影響を及ぼす可能性もある。
【０００８】
そこで、前述の技術的課題に鑑み、本発明の少なくとも一つの実施形態の目的は、インテークマニホールドのシリンダヘッドへの挿入部分によって吸気断熱を達成するとともに、複数気筒を有するシリンダヘッドへのインテークマニホールドの挿入部分の組付け性を向上できる内燃機関の吸気通路構造を提供することにある。
【課題を解決するための手段】
【０００９】
（１）本発明の少なくとも一実施形態に係る内燃機関の吸気通路構造は、シリンダヘッドに連結され吸気通路を形成するインテークマニホールドと、該インテークマニホールドとは別体に形成され、前記インテークマニホールドと前記シリンダヘッドとの間に設けられ、シリンダヘッドの熱伝導率より低い熱伝導率を有する材料からなる連結部と、該連結部の吸気下流側の端部に形成された挿入部と、該挿入部が挿入されるとともに、前記シリンダヘッドの外面に開口し吸気ポートに連通される嵌合凹部と、複数の前記連結部の各々の吸気上流側の端部を連結するように延在して形成され、前記インテークマニホールドの複数の吸気通路の各々の下流側端部に形成されたフランジが締結する第１フランジ部と、を備えたことを特徴とする。
【００１０】
前記（１）の構成によれば、インテークマニホールドとシリンダヘッドとの間に、別部材の連結部を介在させてシリンダヘッドにインテークマニホールドを連結し、該連結部をシリンダヘッドの熱伝導率より低い熱伝導率を有する材料によって構成することで、シリンダヘッドからインテークマニホールドへの伝熱及び吸気通路内の吸気への伝熱を抑制して、吸気温度上昇を抑制できる。
【００１１】
また、連結部の吸気下流側の端部には挿入部が形成され、該挿入部はシリンダヘッドの嵌合凹部に挿入されるように構成されている。さらに、連結部の吸気上流側の端部は、複数の連結部の各々の上流側端部を連結するように延在する第１フランジ部に接続される構成である。従って、複数の連結部の上流側の端部においては相互の位置は固定され、下流側の挿入部においては相互の位置は自由状態である。
このため、シリンダヘッドに形成された気筒毎の嵌合凹部への複数の連結部を同時に挿入する際に、嵌合凹部と挿入部との位置関係のずれを吸収しながら組付けが可能になる。従って、組付け性を向上できる。
【００１２】
また、挿入部を有する連結部を、インテークマニホールドとは別体の部材によって形成するので、挿入部がインテークマニホールド一体になって形成されるものに比べて、挿入作業の際の挿入部品が、連結部だけでよいためコンパクト化されることで、組付け部品の取り扱いが容易になるので、組付け性が向上する。
【００１３】
（２）幾つかの実施形態では、前記（１）の構成において、前記連結部の前記挿入部の側であって連結部毎に形成され、前記嵌合凹部へ挿入された前記連結部をシリンダヘッドの壁面に取付けるための第２フランジ部を有したことを特徴とする。
【００１４】
前記（２）の構成によれば、挿入部が嵌合凹部へ挿入した後に連結部はそれぞれ第２フランジ部を介してシリンダヘッドに取付けられるので、連結部のシリンダヘッドへの固定が確実になる。
第２フランジ部は第１フランジ部のように、各連結部を接続するように設けられていないため、複数の連結部の挿入部は、相互の位置が自由状態に維持される。
【００１５】
（３）幾つかの実施形態では、前記（１）又は（２）の構成において、前記連結部には、燃料噴射装置の吸気ポートインジェクタ及び燃料レールが取付けられて、連結部と吸気ポートインジェクタと燃料レールとが一体化され、一体化された状態で前記インテークマニホールド及び前記シリンダヘッドの間に装着可能に構成されたことを特徴とする。
【００１６】
前記（３）の構成によれば、連結部と吸気ポートインジェクタと燃料レールとが一体化（モジュール）され、一体化された状態で前記インテークマニホールド及び前記シリンダヘッドの間に装着可能であるので、モジュール単位して取り扱うことができるためエンジン製造ラインにおける簡便な装着を実現できる。
このように、連結部に吸気ポートインジェクタと燃料レールとが取り付けられて一体化されるので、吸気ポートインジェクタや燃料レールの燃料噴射装置の組付け性の向上を図ることができる。
【００１７】
（４）幾つかの実施形態では、前記（１）から（３）のいずれかの構成において、前記燃料レールは、前記第１フランジ部の延在する方向と同方向に延在して設けられることを特徴とする。
【００１８】
前記（４）の構成によれば、燃料レールの延在方向と第１フランジ部の延在方向とが同一であるため、複数の連結部と吸気ポートインジェクタと燃料レールとが一体化されて形成されるモジュール部品の全体の剛性を高めることができる。
【００１９】
（５）幾つかの実施形態では、前記（４）の構成において、平面視において前記燃料レールが前記第１フランジ部より吸気上流側に配置されることを特徴とする。
【００２０】
前記（５）の構成によれば、平面視において燃料レールが第１フランジ部より吸気上流側に配置されるので、燃料レールが第１フランジ部より吸気下流側に配置される場合に比べて、吸気ポートインジェクタの連結部の位置から、吸気ポートインジェクタの燃料レールへの接続位置を遠ざけることができる。
燃料レールはシリンダヘッドまたはインテークマニホールド等の他の部品に固定されて支持されるので、挿入部の変動（図４の矢印Ａ）に対して吸気ポートインジェクタのハウジング部と燃料レール２４の接続部Ｐ位置における曲げ変形を低減することができる。これによって、吸気ポートインジェクタと燃料レールとの接続部の耐久性が向上する。
なお、平面視において燃料レールが第１フランジ部より吸気上流側とは、平面視において、燃料レールの下流側端部が連続フランジの上流側端面を超えて上流側に配置されていることをいう。
【００２１】
（６）幾つかの実施形態では、前記（４）の構成において、平面視において前記燃料レールが前記第１フランジ部と重なるように配置されることを特徴とする。
【００２２】
前記（６）の構成によれば、平面視において燃料レールが第１フランジ部と重なるように配置されるので、第１フランジ部とともに連結部の上流側端部の剛性の高めることができる。
なお、平面視において燃料レールが第１フランジ部と重なるとは、平面視における燃料レールの幅と第１フランジの幅とが重なる（一部及び全て重なる）ことをいう。
さらに、連結部から燃料レールがはみ出す量を抑えることで、吸気ポートインジェクタと燃料レールとが一体化したモジュール部品としての大型化を抑えてコンパクト化を図ることができる。
【００２３】
（７）幾つかの実施形態では、前記（１）から（６）のいずれかの構成において、前記連結部の挿入側の外周部にシールリングが装着されることを特徴とする。
【００２４】
前記（７）の構成によれば、シールリングによって、吸気ポート内と大気との間のシール性が確保されるとともに、シールリングの変形によって、嵌合凹部と連結部の下流側端部との組付け時の位置関係のずれを吸収することができるため、組付け性を向上できる。
【発明の効果】
【００２５】
本発明の少なくとも一実施形態によれば、インテークマニホールドのシリンダヘッドへの挿入部分をシリンダヘッドの熱伝導率より低い熱伝導率を有する別部材で構成して、吸気断熱を達成するとともに、さらに、別部材からなる複数の連結部の各々の上流側端部は第１フランジ部で連結し下流側端部は相互に自由状態にすることによって、複数の連結部のシリンダヘッドへの組付け性を向上できる。
【図面の簡単な説明】
【００２６】
【図１】本発明の一実施形態に係る内燃機関の吸気通路構造を示す一部断面の全体説明図である。
【図２】本発明の一実施形態に係る内燃機関の吸気通路構造の複数の連結部の説明図である。（Ａ）は左側面図であり、（Ｂ）は図１における連結部の平面視図であり、（Ｃ）は右側面図である。
【図３】本発明の一実施形態に係る内燃機関の吸気通路構造を示す一部断面の全体説明図である。
【図４】本発明の一実施形態に係る内燃機関の吸気通路構造の複数の連結部の説明図である。
【図５】本発明の一実施形態に係る内燃機関の吸気通路構造の連結部の一部断面説明図である。
【図６】本発明の一実施形態に係る内燃機関の吸気通路構造の複数の連結部の説明図である。
【発明を実施するための形態】
【００２７】
以下、添付図面を参照して、本発明の幾つかの実施形態について説明する。ただし、これらの実施形態に記載されている又は図面に示されている構成部品の寸法、材質、形状及びその相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２８】
本発明の幾つかの実施形態に係る内燃機関の吸気通路構造は、図１、図２に示すように、シリンダヘッド１に連結され吸気通路３を有したインテークマニホールド５と、インテークマニホールド５とは別体に形成され、インテークマニホールド５とシリンダヘッド１との間に設けられ、シリンダヘッド１の熱伝導率より低い熱伝導率を有する材料からなる連結部７を備えている。具体的にはこの連結部７は、樹脂材料によって形成されている。
【００２９】
さらに、連結部７の吸気下流側の端部に挿入部９が形成され、挿入部９が挿入されるとともに、シリンダヘッド１の外面に開口し吸気ポート１１に連通される嵌合凹部１３がシリンダヘッド１の側壁に形成されている。
【００３０】
さらに、図２に示すように、複数の連結部７の各々の吸気上流側の端部１４を連結するように延在して形成されるとともに、インテークマニホールド５の複数の吸気通路３の各々の下流側端部に形成されたインマニフランジ部１５が締結する連続フランジ部（第１フランジ部）１７を備えている。
【００３１】
図１に示すように、エンジン２１は、吸気ポートインジェクタ２３によって吸気ポート１１内に燃料を噴射するポート噴射式エンジンについて示しており、インテークマニホールド５の吸気通路３を形成する吸気管部２５を介して吸気ポート１１内に吸入された吸入空気と、吸気ポートインジェクタ２３の噴口から噴射された燃料とが吸気ポート１１内で混合されて混合気となり、吸気カム２７によって所定のタイミングで開閉作動される吸気弁２９を介して、ピストン３１とシリンダヘッド１とシリンダ３３との間に形成される燃焼室３５内へ供給される。
【００３２】
そして、所定のタイミングで点火プラグ３７を点火させて燃焼させるようになっている。燃焼後の排ガスは、排気カム３９によって所定のタイミングで開閉作動される排気弁４１を介して排気通路４３へ排出されるようになっている。
また、吸気管部２５には、吸気量を制御するスロットルバルブ４５、吸気レゾネータ４７が設けられている。また、図１に示すように、燃料噴射装置を構成する吸気ポートインジェクタ２３及び燃料レール２４は、インテークマニホールド５の吸気下流端部分に取り付けられている。
【００３３】
図１、２に示す一実施形態によれば、インテークマニホールド５とシリンダヘッド１との間に、インテークマニホールド５及びシリンダヘッド１とは別の部材によって形成された連結部７を介在させてシリンダヘッド１とインテークマニホールド５とを連結し、且つ、連結部７をシリンダヘッド１の熱伝導率より低い熱伝導率を有する材料、例えば、樹脂材料によって構成することで、シリンダヘッド１からインテークマニホールド５への伝熱及び吸気通路３内の吸気への伝熱を抑制して、吸気温度上昇を抑制できる。
なお、吸気断熱及びインテークマニホールド５と連結部７との組付け作業性を考慮すると、インテークマニホールド５の部分も連結部７と同様の樹脂材料で構成されるのが好ましい。
【００３４】
また、連結部７は、吸気下流側の端部の挿入部９が、シリンダヘッド１の嵌合凹部１３に挿入されるように構成され、吸気上流側の端部１４は、複数の連結部７を連結するように延在する連続フランジ部１７に接続される構成であるので、複数の連結部７の上流側端の相互の位置は固定され、挿入部９の相互の位置は自由状態である。
このため、シリンダヘッド１に設けられた複数の嵌合凹部１３へ、複数の連結部７が一体に連結された状態で挿入部９を同時に挿入する際に、嵌合凹部１３と挿入部９との位置関係のずれを吸収しながらの組付けが可能になる。このため、連結部７のシリンダヘッド１への組付け作業性を向上できる。
【００３５】
すなわち、吸気ポート１１が形成されるシリンダヘッド１は、アルミニュウム材料による鋳造製造のため、仕上がり寸法精度においてばらつきが生じやすく挿入部９を組み込む際に、円滑な挿入が行われ難い問題を改善できる。
【００３６】
また、エンジン２１の運転時の温度上昇によって挿入部９とシリンダヘッド１の嵌合凹部１３との熱膨張率の差による位置関係のずれが生じやすいが、連結部７の端部の挿入部９は相互に自由状態であるため、挿入部９と嵌合凹部１３との間には無理な変形力が作用しないようになるため、連結部７とシリンダヘッド１との連結部分におけるシール性及び耐久性が向上する。
【００３７】
また、挿入部９を有する連結部７を、インテークマニホールド５とは別体の部材によって形成するので、挿入部９がインテークマニホールド一体になって形成されるものに比べて、挿入作業の際の挿入部品が、連結部７だけでよいため、シリンダヘッド１への組付け部品の取り扱いが容易になるので、組付け作業性が向上する。
【００３８】
本発明の幾つかの実施形態に係る内燃機関の吸気通路構造は、図１、２に示す実施形態において、さらに、連結部７の挿入側であって連結部７毎に別々に、嵌合凹部１３へ挿入した状態で連結部７をシリンダヘッド１の壁面に取付けるための独立フランジ部（第２フランジ部）４９を備えたことを特徴としている。
【００３９】
図２（Ｂ）は図１における連結部７が、連続フランジ部１７によって複数連結されている状態を上方からの平面視図であり、図２（Ａ）は左側面図であり、図２（Ｃ）は右側面図である。
連結部７は、図１に示すように円筒形状に形成されており、図２（Ｂ）には、吸気は図面左側から右側に向かって流れる状態を示している。
複数の連結部７の吸気上流側の端部１４に接続して延在する連続フランジ部１７は、図２（Ａ）のように、長方形の板状部材によって形成され、連続フランジ部１７の上流側端面１７ａにはインマニフランジ部１５の当接面１５ａが図示しないガスケット等を介してボルト５１によって締結される。連続フランジ部１７には、ボルト５１が貫通する貫通穴５３が形成されている。また、連続フランジ部１７に雌ねじが形成されていてもよい。
【００４０】
一方、複数の連結部７の吸気下流側の端部に形成された挿入部９は、シリンダヘッド１の嵌合凹部１３に挿入される部分を形成し、連結部７の先端面からＨの距離の部分に独立フランジ部（第２フランジ部）４９が形成されている。独立フランジ部４９は、円筒形状の外周面から径方向に、それぞれ反対方向に張り出して２箇所形成されている。
独立フランジ部４９の下流側端面４９ａはシリンダヘッド１の壁面１ａに図示しないガスケット等を介してボルト５５によって締結される。独立フランジ部４９には、ボルト５５が貫通する貫通穴５７が形成されている。シリンダヘッド１側には雌ねじが形成されている。
【００４１】
独立フランジ部４９を介して夫々の連結部７は、シリンダヘッド１に取付けられるので、連結部７のシリンダヘッド１への固定が確実になる。
また、独立フランジ部４９は連続フランジ部１７のように、各連結部７を接続するように設けられていないため、複数の連結部７の挿入部９の相互の位置は自由状態が維持され、図２（Ｂ）の矢印Ａに示すように、挿入部９は、連続フランジ部１７側を固定端側として、自由に変動できる状態になっている。
【００４２】
図１、２に示す実施形態において、シリンダヘッド１へのインテークマニホールド５の組付け手順としては、まず、シリンダヘッド１の複数の嵌合凹部１３へ、連続フランジ部１７によって一体化された複数の連結部７の挿入部９を挿入して、独立フランジ部４９の下流側端面４９ａをシリンダヘッド１の壁面１ａに図示しないガスケット等を介してボルト５５によって締結する。その次に、連続フランジ部１７の上流側端面１７ａに、インマニフランジ部１５の当接面１５ａを図示しないガスケット等を介してボルト５１によって締結してインテークマニホールド５を、シリンダヘッド１に固定するようになっている。
【００４３】
本発明の幾つかの実施形態に係る内燃機関の吸気通路構造は、図３、４に示すように、図１、２に示した実施形態において、燃料噴射装置を構成する吸気ポートインジェクタ２３及び燃料レール２４を連結部６３に一体に設けたものである。
【００４４】
即ち、連結部６３には、燃料噴射装置の吸気ポートインジェクタ２３及び燃料レール２４が設けられて、連結部６３と吸気ポートインジェクタ２３と燃料レール２４とが一体化（モジュール化）され、一体化された状態でインテークマニホールド５及びシリンダヘッド１へ装着可能に構成されている。
【００４５】
このように、連結部６３と吸気ポートインジェクタ２３と燃料レール２４とが一体化（モジュール）され、一体化された状態でインテークマニホールド５及びシリンダヘッド１へ装着可能であるので、モジュール単位として取り扱うことができるためエンジン製造ラインにおける簡便な装着を実現できる。従って、吸気ポートインジェクタ２３や燃料レール２４の組付け性の向上を図ることができる。
【００４６】
本発明の幾つかの実施形態に係る内燃機関の吸気通路構造は、図３、４に示す実施形態において、さらに、燃料レール２４は、連続フランジ部１７の延在する方向と同方向に延在して設けられている。
図３に示すように、連結部６３を構成する筒状部材の軸方向長さの略中央部の上壁部にインジェクタ収容部６５が形成され、その内部に吸気ポートインジェクタ２３のノズル部２３ａが挿入されて固定される。また、吸気ポートインジェクタ２３のハウジング部２３ｂは連結部６３の上方に突出してハウジング部２３ｂの先端部において、燃料を各気筒の吸気ポートインジェクタ２３に分配する燃料レール２４に接続している。
【００４７】
また、燃料レール２４は、図４に示すように、吸気流方向に対して直交方向に延びており、且つ、連続フランジ部１７が延在する方向と同一方向に延びて設けられている。
燃料レール２４は、連結部６３がシリンダヘッド１とインテークマニホールド５との間に装着された段階で、図示しないブラケットによってシリンダヘッド１やインテークマニホールド５（または、連結部６３）にさらに支持されるようになっている。
【００４８】
かかる実施形態によれば、燃料レール２４の延在方向が連続フランジ部１７の延在方向と同一であるため、連続フランジ部１７による剛性を向上するため、複数の連結部６３と吸気ポートインジェクタ２３と燃料レール２４とが一体化されて形成されるモジュール部品の全体の剛性を高めることができる。
【００４９】
本発明の幾つかの実施形態に係る内燃機関の吸気通路構造は、図３、４に示す実施形態において、さらに、図４のように上方からの平面視において、燃料レール２４が連続フランジ部１７より吸気上流側に配置されている。
即ち、図４に符号Ｌで示すように、平面視において燃料レール２４の下流側端部２４ａが、連続フランジ部１７の上流側端面１７ａを超えて上流側に配置されていることをいう。
【００５０】
燃料レール２４が、連続フランジ部１７より吸気下流側に配置される場合に比べて、燃料レール２４が、連続フランジ部１７より吸気上流側に配置される方が、インジェクタ収容部６５から燃料レール２４への接続までの距離を大きくとることができる。燃料レールはシリンダヘッド１またはインテークマニホールド５の他の部品に固定されているので、連結部６３の挿入部９側の変動（図４の矢印Ａ）に対して吸気ポートインジェクタ２３のハウジング部２３ｂと燃料レール２４との接続部Ｐ位置における曲げ変形を低減することができる。これによって、吸気ポートインジェクタ２３と燃料レール２４との接続部の耐久性が向上する。
【００５１】
本発明の幾つかの実施形態に係る内燃機関の吸気通路構造は、図５、６に示されるように、図３、４に示す実施形態において、上方からの平面視において、燃料レール２４が連続フランジ部１７と重なるように配置されている。
即ち、図６に示すように、燃料レール２４の平面視における幅Ｍ１が、連続フランジ部１７の平面視における幅Ｍ２と重なるように連結部７１、吸気ポートインジェクタ２３、及び燃料レール２４が配置されている。
平面視における燃料レール２４の幅Ｍ１と連続フランジ部１７の幅Ｍ２とが重なるとは、図６のように全て重なる場合だけでなく、一部重なる場合も含む。
【００５２】
図５、６に示す実施形態によれば、平面視において燃料レール２４が連続フランジ部１７と重なるように配置されるので、連続フランジ部１７と燃料レール２４とが共同して連結部７１の上流側端部の剛性を高めることができる。
さらに、連結部７１から燃料レール２４がはみ出す量を抑えることで、吸気ポートインジェクタ２３と燃料レール２４とが一体化したモジュール部品としての大型化を抑えてコンパクト化を図ることができる。
【００５３】
本発明の幾つかの実施形態に係る内燃機関の吸気通路構造は、図１から図６に示す実施形態において、さらに、連結部７、６３、７１の挿入部９の外周部にはシールリング７３、例えば、Ｏリングが装着されている。
このような構成によれば、シールリング７３によって、吸気ポート１１内と大気との間のシール性が確保されるとともに、シールリング７３の変形によって、嵌合凹部１３と連結部７、６３、７１との組付け時の位置関係のずれを吸収することができるため、組付け性を向上できる。
【産業上の利用可能性】
【００５４】
本発明の一実施形態によれば、インテークマニホールドのシリンダヘッドへの挿入部分をシリンダヘッドの熱伝導率より低い樹脂材料からなる別部材で構成して、吸気断熱を達成するとともに、さらに、別部材からなる複数の連結部の各々の上流側端部は連続フランジ部で連結し下流側端部は相互に自由状態にすることによって、複数の連結部のシリンダヘッドへの組付け性を向上できるので、内燃機関の吸気通路構造への適用に有効である。
【符号の説明】
【００５５】
１  シリンダヘッド
３  吸気通路
５  インテークマニホールド
７、６３、７１  連結部
９  挿入部
１１  吸気ポート
１３  嵌合凹部
１５  インマニフランジ部
１７  連続フランジ部（第１フランジ部）
２１  エンジン（内燃機関）
２３  吸気ポートインジェクタ
２４  燃料レール
４９  独立フランジ部（第２フランジ部）
５１、５５  ボルト
７３  シールリング
【図１】
2017057818.tif 000003
【図２】
2017057818.tif 000004
【図３】
2017057818.tif 000005
【図４】
2017057818.tif 000006
【図５】
2017057818.tif 000007
【図６】
2017057818.tif 000008